(57)【要約】【課題】  生産ラインの機械を構成する連続して並んだフレームの位置合わせに要する時間を短くする。【解決手段】  生産ラインの機械（１）を構成する連続して並んだフレーム（２）を位置決めして組み立てる装置を提供する。この装置（１０）は特に、２つの隣り合うフレーム（２）、即ち、上流側フレーム（２ａ）及び下流側フレーム（２ｂ）の相対的位置決めを行うようになっている。この装置は、上流側フレーム（２ａ）を下流側フレーム（２ｂ）に連結すると共に下流側フレーム（２ｂ）の上流側部分（２０ａ）を支持する少なくとも１つのリンク（１１）を有する。【選択図】      図２
2005305640.tif 000002
【特許請求の範囲】
【請求項１】
生産ラインの機械（１）を構成する連続して並んだフレーム（２）を位置決めして組み立てる装置であって、特に、２つの隣り合うフレーム（２）、即ち、上流側フレーム（２ａ）及び下流側フレーム（２ｂ）の相対的位置決めを行うようになった装置において、上流側フレーム（２ａ）を下流側フレーム（２ｂ）に連結すると共に下流側フレーム（２ｂ）の上流側部分（２０ａ）を支持する少なくとも１つのリンク（１１）を有することを特徴とする装置（１０）。
【請求項２】
前記リンク（１１）は、２つの隣り合うフレーム（２）の位置決めにより得られる水平方向角度の二等分線上に配置されていることを特徴とする請求項１記載の装置（１０）。
【請求項３】
前記リンク（１１）は、シリンダ（１２）を軸受（１３）内へ固定したものから成ることを特徴とする請求項２記載の装置（１０）。
【請求項４】
前記リンク（１１）は、球の形状をしていることを特徴とする請求項２記載の装置（１０）。
【請求項５】
前記リンク（１１）は、高さが調節可能であり、上流側フレーム（２ａ）の下流側部分（２０ｂ）にしっかりと取り付けられたベース支持体（１５）を含む鉛直面内に配置されていることを特徴とする請求項２記載の装置（１０）。
【請求項６】
フレーム（２，２ａ，２ｂ）の前記位置決めは、水平方向に直線的な位置決めであることを特徴とする請求項１記載の装置（１０）。
【請求項７】
前記軸受（１３）は、前記シリンダ（１２）の両端部のところに配置されていることを特徴とする請求項３記載の装置（１０）。
【請求項８】
前記装置（１０）は、下流側フレーム（２ｂ）の上流側部分（２０ａ）及びリンク（１１）のシリンダ（１２）と交差し、前記フレーム（２ａ，２ｂ）を互いにしっかりと連結するよう上流側フレーム（２ａ）の下流側部分（２０ｂ）にねじ込まれるようになっている引張ロッド（２１）を有することを特徴とする請求項１記載の装置（１０）。
【発明の詳細な説明】
【技術分野】
【０００１】
本発明は、生産ラインの機械を構成する連続して並んだフレームを位置決めして組み立てる装置に関し、この装置は、特に、２つの隣り合うフレームの相対的な位置決めのために用いられる。
【背景技術】
【０００２】
幾つかの連続して並んだフレームで構成されるかかる機械は、一般に、特にボール箱加工及び製造のための包装及び印刷業界の分野で用いられる。しかしながら、極めて多種多様な技術分野と関連付けられた多くの生産ラインも又、次々に配置された状態で組み立てられる複数のユニットで構成される機械を用いることが必要であることは注目されよう。かかるユニットは、種々の連続した作業が例えば製品の上流側送込みからその下流側での送出しまで製品の製造、修正又は状態調節を目的として行われるステーションであるのがよい。本発明の対象物により解決されるようになった問題を実際に説明するため、幾つかの印刷ユニットを有する輪転印刷機を生産機械の一例として取り上げる。厚紙枚葉紙又は巻取紙のカラー印刷は、少なくとも３つ又は４つの印刷ユニットを含む印刷ラインで達成できる。これらユニットは各々、３色印刷に関し、原色、即ち、イエロー、シアン及びマゼンタを付着させ又は塗布する。
【０００３】
かかる色を重ね合わせることにより多くの配色及び純度を通じて全ての自然な色合いを得ることができる。しかしながら、高品質印刷を達成するためには、各印刷ユニットによって印刷された連続したプリントの完全な重ね合わせを達成することが必要である。近い将来この目的を達成するため、主目的のうちの１つは、例えばできるだけ完全な位置合わせを得るために各ユニットのフレームを次々に関連させて位置決めすることにある。
【０００４】
かかるフレームは通常、ベースプレートアングルのところにそれぞれ１つずつ設けられた４つの足部を備えている。これら足部は、互いに別個独立に高さが調節できるようねじ山付きロッドに取り付けられる。かかるシステムにより、必要ならば上述の印刷ユニットがもたらす表面平坦部についての欠陥を補償すると、印刷グループの枚葉紙又は巻取紙の移動平面を完全に水平にすることが可能である。
【０００５】
互いに異なる印刷ユニットは、最後の１つから始まってインライン状態に方法的に位置決めされている。かかる位置決めは、各印刷ユニットについて、完全に水平であって、上流側及び下流側の隣接ユニットの移動平面に対し位置合わせされた移動平面を達成することを目的としている。この方法を実施するため、生産ラインの一端部と他端部の間に配置されていて、互いに異なるフレームの側方及び角度位置合わせ用の直線的基準及び水平基準線として用いられるテンディッドワイヤ（tended wire ）を用いている。また、空気水準器（air level ）、コンパレータ（精密測長器）を備えたコンパス及びスペーサバーも又用いられる。
【０００６】
位置合わせ作業は以下の通りである。すなわち、まず最初に、ワイヤから或る距離を置いたところで最後のフレームをワイヤに平行に配置する。上記印刷ユニットのアンビルローラ上に配置された空気水準器によってフレームの横方向レベルを設定する。次に、各フレーム側部の長手方向レベルを設定する。テンディッドワイヤに対するフレームの直角性は、コンパス及びコンパレータによって設定されることになる。この方法を実施するため、コンパスの一端部をフレームの底部のところで印刷ユニットの上流側に設けられた厳しい公差の穴の中へ締結する。その第２の端部のところに配置されたコンパレータは、表面に関連付けられた値の読みを可能にし、この読みは次に、コンパスを半回転させた後に測定された別の値と比較される。コンパレータに示された差をフレーム足部に装備されたねじを用いて補正する。連続段階の実施後には印刷ユニットの完全な垂直性が達成されるべきである。
【０００７】
この場合、隣接の印刷ユニットフレームを先の場合と同一の距離でテンディッドワイヤに平行に設定することが推奨される。第２の印刷ユニットは、今セットアップしたばかりの先のものに従って設定する。その目的で、両方の印刷ユニットのアンビルローラに対して長手方向に置かれる水準器を備えた高精度物差しを用いる。かかる作業により、先の印刷ユニットと比較された第２の印刷ユニットの高さを設定できる。また、全てのユニットについて正確且つ一定でなければならない両方の印刷ユニット相互間のスペースを設定することが推奨される。かかる作業では、基準スペーサバーを用いることが必要である。
【０００８】
第２の印刷ユニットの上述の設定をいったん達成すると、テンディッドワイヤの水平性に対する上述の第２のユニットの垂直性を点検することが依然として推奨される。
この調節は、従前通りコンパス及びコンパレータを用いて達成される。もし結果が満足のゆくものでなければ、スペーサバーを取り外し、垂直性の誤差を補正することが推奨される。次に、レベルを再点検することが必要になろう。
【０００９】
上述の作業の実施後、他の全ての印刷ユニットも又取り扱うことが依然として必要であろう。４色プロセス及び（又は）特定のインキ、例えばシルバー又はゴールドを用いた印刷の場合、４個以上、即ち５又は６個の印刷ユニットを位置決めすることが必要である。かかる印刷ラインの機能に必要なステーションを支持する他のフレームの位置決めも又考慮に入れられる。かかるステーションのうちとりわけ、一例として送込みステーション、種々の間に位置する乾燥ステーション、送出しステーション等を取り上げる。さらに、印刷向けの生産ラインのすぐ後には、印刷物を加工するラインが配置されている場合がある。かかる機械又は機械形態は、各フレームを次々に正確に配置しなければならない非常に多くのステーションを有する場合があることが理解されよう。
【発明の開示】
【発明が解決しようとする課題】
【００１０】
かかるフレームの位置合わせに必要な時間が長いことは、今日までの方法の大きな欠点である。かかる時間は、生産ラインの稼働を遅らせ、しかも機械の据え付け費を増大させる。
【００１１】
本発明の目的は、機械をその組立て前に構成する連続して並んだフレームの位置決めを単純にすることができる装置を提案することにより上述の欠点を解決することにある。さらに、かかる装置は、低コストの利点をもたらし、かかる機械の据え付けに伴うコスト全体をできるだけ安上がりにするために単純な構造のものでなければならない。本発明の目的は又、フレーム位置決め状態を後で変更する必要なく、実施されなければならない。さらに、本発明の装置は、直線的位置合わせ方式だけによるフレームの位置決め及び組立てには限定されず、湾曲した生産ラインを例えば直角に据え付ける場合に完全に満足のゆくものであることが必要である。
【課題を解決するための手段】
【００１２】
これら目的は、連続して配置されたフレームを位置決めして組み立て、特に生産機を構成するフレームを位置決めする請求項１に記載の装置に関する本発明によって達成される。
【発明を実施するための最良の形態】
【００１３】
本発明は、非限定的な例として与えられ、添付の図面に示された好ましい実施形態について検討すると明らかに理解されよう。
図１は、連続的に次々に配置された複数のフレーム２を有する生産ラインの機械１の略図である。フレーム２は各々、少なくとも１つの生産ライン作業（図示せず）が製品に対して達成されるようにするステーション又は加工ユニットを支持するようになっている。作業は、矢印３で示すように上流側から下流側へ方法的に実施される。かかるステーションは各々、例えば印刷機の印刷ユニットである。この場合、作業は、巻取紙又は枚葉紙のカラー印刷に入るために用いられる互いに異なる原色の印刷に関する。
【００１４】
図２は、機械１の一部の詳細略図であり、本発明の対象物である装置１０により３つの連続的に並んだフレーム２を対をなして位置決めすると共に組み立てる状態を示す図、かくして、位置決め及び組立てのための装置１０は、常時２つの隣り合うフレーム２の接合部のところに配置され、これらフレームは、この場合、上流側フレーム２ａ及び下流側フレーム２ｂである。かくして、機械１を構成するｎ個のフレームを位置決めすると共に組み立てるためのｎ−１個の装置１０を計画することが推奨される。単純化の理由で、第１のフレームだけが全体として図２に示されており、次の２つのフレームは、一部しか示されていない。
【００１５】
図２によれば、上流側フレーム２ａは、矢印３の方向に従って第１のフレーム２に関連している。さらにこの矢印に従って、下流側フレーム２ｂはかくして、上流側フレーム２ａに続く隣のフレーム、即ち、この例では第２のフレーム２に関連している。種々の変形例を一般化する目的で、上流側フレーム２ａは、最後の１つを除き機械１の任意の不特定のフレーム２であってもよいことは理解されるべきである。
【００１６】
装置１０は、上流側フレーム２ａを下流側フレーム２ｂに連結する１つのリンク１１を有している。リンク１１は、上流側フレーム２ａの下流側部分２０ｂ内に配置され、下流側フレーム２ｂの上流側部分２０ａを支持している。このリンクは好ましくは、軸受１３内へ固定的に取り付けられたシリンダ１２によって構成されている。軸受は有利には、シリンダ１２の両端部のところに配置される。しかしながら、協働してシリンダ１２の重量及び下流側フレーム２ｂの上流側部分２０ａの重量を支持するようになった１又は数個の中間軸受を追加してもよい。別の実施形態によれば、シリンダの長さ全体に対して連続した支持体を計画することも可能である。
【００１７】
リンク１１は好ましくは、２つの隣り合うフレーム２のなす角度、即ち、上流側フレーム２ａと下流側フレーム２ｂのなす水平角度の二等分線上（the bisectrix of a horizontal angle）に配置される。
フレーム２は通常、直線的に位置決めされており、リンクはこの場合上述の位置合わせ（整列）に対して直交するように配置される。しかしながら、機械１のフレーム２が長手方向主軸線だけに従って全てが位置合わせされることなく、例えば直角に湾曲していることが生じる場合がある。かかる据付けは本質的に、機械１により提供される配置上の可能性及びその据付けに利用できる空間で決まることになる。
【００１８】
別の達成可能な方法では、例えばフレーム２の各側部に１つずつ数個のリンク１１を配置することが可能である。かくして、これらリンクは、円筒形ではなくスイベルのように球形の形をしているのがよい。
【００１９】
フレーム２を支持するために用いられる１つのベース支持体１５の細部が、図３に示されている。これら支持体は、フレーム２内に設けられたタップ立て部に入るねじ山つきロッド１７の端部をなす足部１６により構成されている。かくして、各支持体１５は、高さが調節可能であり、ナット１８により上記位置に締付け可能である。目盛付き物差しが、必要ならば、各支持体１５に連結され、かくして容易な設定を可能にする。変形例は、足部１６をスイベル（図示せず）に取り付けてスイベルが考えられる表面平坦度条件に適合できるようにすることから成る。
【００２０】
図２を参照すると、リンク１１が好ましくは、支持体１５に入った状態で、より詳細にはねじ山付きロッド１７の長手方向軸線を通った状態で鉛直面内に配置されている。かくして、リンク１１の荷重は、有利には、上流側フレーム２ａの各側部上に垂直方向に配置された支持体１５に直接伝えられる。
【００２１】
本発明の装置１０は有利には、各フレーム２を最初のものを除き、その下流側部分２０ｂ内の２つの支持体１５に取り付けると共にその上流側部分２０ａ内のリンク１１に取り付けることができるようにする。図２の左側面図の第１のフレームだけが好ましくは、そのアングルのところに配置された４つの支持体１５に好ましくは取り付けられる。
【００２２】
本発明の対象物により、下流側フレームの水平調節は、上記フレームを先の上流側フレーム２ａに対して位置決めしなければならない場合であっても下流側フレームの下流側部分２０ｂの支持体１５の設定を通じて可能な状態のままである。リンク１１により、下流側フレーム２ｂは、１つの度合いでのみ、即ち、上流側部分２０ａ内に設けられたリンク１１回りに鉛直面内において旋回可能に自由に動かされる。かくして、水平面内における傾斜旋回は、シリンダ１２が軸受１３にしっかりと取り付けられているので不可能である。水平調節がいったん終わると、上流側フレーム２ａ及び下流側フレーム２ｂの位置を各々ロックすることにより上記一定レベルを維持しなければならない。フレーム２ａ，２ｂの上述のロックは、引張ロッド２１によって達成される。引張ロッド２１は、下流側フレーム２ｂの上流側部分２０ａ及びシリンダ１２と交差し、上流側フレーム２ａの下流側部分２０ｂ内へねじ込まれるようになる。かくして、引張ロッド２１の完全な締付けにより、２つのフレーム２ａ，２ｂをしっかりと取り付け、かくして先の水平調節状態を維持することができる。空気水準器は、支持体１５の設定を達成するために用いられる唯一の追加のツールである。かくして、かかるツールをフレームに追加することが計画され、即ち、相対的に位置決めされる。
【００２３】
かくして、下流側フレーム２ｂを位置合わせすると共に水平調節することは、非常に容易である。確かに、かかる作業を実施するため、例えばテンディッドワイヤによって具体化される基準線は今や役に立たない。また、コンパス又はコンパレータを用いることはもはや必要ではない。さらに、従来２つの隣り合うフレームを間隔保持するために用いられた間隔保持バーはかくして、正確な位置決めを完全に達成するためには役には立たない上記付属装置のうちの１つである。
【００２４】
最後に、フレーム２を備えたかかる装置１０は又有利には、機械１の据付け時における時間の節約の点で大げさな据付けになるとは思われない。
多くの改造を特許請求の範囲に記載された本発明の範囲内の本発明の装置に施すことができる。
【図面の簡単な説明】
【００２５】
【図１】数個のフレームを有する機械の略図である。
【図２】別々のフレームが本発明の装置によって組み立てられて位置決めされる機械部分の略図である。
【図３】図２の一部の詳細図である。
【符号の説明】
【００２６】
１  機械
２  フレーム
２ａ  上流側フレーム
２ｂ  下流側フレーム
１１  リンク
【図１】
2005305640.tif 000003
【図２】
2005305640.tif 000004
【図３】
2005305640.tif 000005